(57)【要約】【課題】研削加工後の眼鏡レンズが面取りされて眼鏡装用者にとってより掛けやすく、より窮屈でない（疲れない）ような眼鏡レンズの面取り設定ができる眼鏡レンズの面取り加工方法及び面取り加工装置を提供すること。【解決手段】面取り範囲を設定する際、玉型形状Ｌの幾何学中心Ｏから横方向の動径の大きさをρbasisとし且つ前記玉型形状Ｌの幾何学中心Ｏから最小動径の大きさをρminとすると共に、前記ρbasis−ρminを１００等分した値に基づいた半径で前記幾何学中心Ｏを中心とする円弧を描いて、該円弧が前記玉型形状と交わる２つの交点Ｍ１，Ｍ２を求めることにより、該２つの交点Ｍ１，Ｍ２間を前記面取り範囲とする眼鏡レンズの面取り加工方法及び面取り加工装置。【選択図】  図１２
2008149457.tif 000002
【特許請求の範囲】
【請求項１】
眼鏡レンズの面取り加工方法において、
面取り範囲を設定する際、玉型形状の幾何学中心から横方向の動径の大きさをρbasisとし且つ前記玉型形状の幾何学中心から最小動径の大きさをρminとすると共に、前記ρbasis−ρminを１００等分した値に基づいた半径で前記幾何学中心を中心とする円弧を描いて、該円弧が前記玉型形状と交わる２つの交点を求めることにより、該２つの交点間を前記面取り範囲とすることを特徴とする眼鏡レンズの面取り加工方法。
【請求項２】
眼鏡レンズの面取り加工装置において、
面取り範囲を設定する際、玉型形状の幾何学中心から横方向の動径の大きさをρbasisとし且つ前記玉型形状の幾何学中心から最小動径の大きさをρminとすると共に、前記ρbasis−ρminを１００等分した値に基づいた半径で前記幾何学中心を中心とする円弧を描いて、該円弧が前記玉型形状と交わる２つの交点を求めることにより、該２つの交点間を前記面取り範囲とすることを特徴とする眼鏡レンズの面取り加工装置。
【発明の詳細な説明】
【技術分野】
【０００１】
本発明は、眼鏡フレームの玉型形状の周縁に面取り範囲を設定するようにした眼鏡レンズの面取り加工方法及び面取り加工装置に関する。
【背景技術】
【０００２】
従来から、円形で未加工の眼鏡レンズ（被加工レンズ）の周縁をレンズ研削加工装置で眼鏡フレーム、リムレスフレーム、ワイヤーフレーム等のナイロール等の玉型形状に玉型形状情報（θｉ，ρｉ）に基づいて研削加工した後、眼鏡レンズの周縁のコバ端を面取り加工する装置が知られている（特許文献等１〜７参照）。
【特許文献１】特開平１０−２２５８５３号公報
【特許文献２】特開平１０−２２５８５４号公報
【特許文献３】特開平１０−２２５８５５号公報
【特許文献４】特開２００１−１８１５４号公報
【特許文献５】特開２００１−１８１５５号公報
【特許文献６】特開２００２−１２６９８３号公報
【特許文献７】特開２００２−１２６９８５号公報
【発明の開示】
【発明が解決しようとする課題】
【０００３】
しかしながら、従来の面取り加工装置では、眼鏡装用者の装用する眼鏡フレーム枠のテンプルのある耳掛け側（以下、耳側という。）の眼鏡レンズのコバ端においては面取り幅を変えて面取り加工を行うように制御されていたが、眼鏡フレーム枠の鼻当て（パッド）側（以下、鼻側という）の眼鏡レンズのコバ端においては精密に面取り加工は制御されていなかった。
【０００４】
そのため、眼鏡装用者にとって、面取りされた眼鏡レンズの鼻側ではコバ厚が厚いままであるため、眼鏡レンズが重たく感じられ、掛け心地のよい眼鏡を掛けることがなかった。そのうえ、鼻当て保持金具にレンズコバ面が当たる場合もあり、眼鏡加工作業者は手作業で追加加工を施していた。
【０００５】
また、眼鏡加工作業者が従来手作業で行っていた技能的な面取り加工技術のノウハウを加工装置により実現し、微細に面取り加工を行いたいという要求が生じたこともある。
【０００６】
そこで、本発明では、研削加工後の眼鏡レンズが面取りされて眼鏡装用者にとってより掛けやすく、より窮屈でない（疲れない）ような眼鏡レンズの面取り設定ができる眼鏡レンズの面取り加工方法及び面取り加工装置を提供することを目的とする。
【課題を解決するための手段】
【０００７】
この目的を達成するため、この発明に係る眼鏡レンズの面取り加工方法及び面取り加工装置は、面取り範囲を設定する際、玉型形状の幾何学中心から横方向の動径の大きさをρbasisとし且つ前記玉型形状の幾何学中心から最小動径の大きさをρminとすると共に、前記ρbasis−ρminを１００等分した値に基づいた半径で前記幾何学中心を中心とする円弧を描いて、該円弧が前記玉型形状と交わる２つの交点を求めることにより、該２つの交点間を前記面取り範囲とすることを特徴とする。
【発明の効果】
【０００８】
この構成によれば、研削加工後の眼鏡レンズが面取りされて眼鏡装用者にとってより掛けやすく、より窮屈でない（疲れない）ような眼鏡レンズの面取り設定を行うことができる。
【発明を実施するための最良の形態】
【０００９】
以下、この発明の実施の形態を図面に基づいて説明する。
［構成］
図１において、１は眼鏡フレームＦのレンズ枠形状やその型板或いは型板モデル等から玉型形状データであるレンズ形状情報（θｉ，ρｉ）を読み取るフレーム形状測定装置（玉型形状測定装置）、２はフレーム形状測定装置１から送信等によって入力された眼鏡フレームの玉型形状データに基づいて眼鏡レンズを研削加工するレンズ研削加工装置（玉摺機）である。尚、フレーム形状測定装置１には周知のものを用いることができるので、その詳細な構成やデータ測定方法等の説明は省略する。
【００１０】
＜レンズ研削加工装置２＞
このレンズ研削加工装置２は、図１に示すように、装置本体３の前面寄りに設けられた加工室４と、この加工室４を開閉するカバー５を有する。また、この加工室４内には図２に示したように加工用主要部品が配置されている。また、加工室４の外側には、加工用主要部品の一部を保持するキャリッジ（図示せず）と、加工用主要部品及びキャリッジの駆動系（モータ等）が配置されている。このキャリッジは、前後に延びる左右一対のアーム部とアーム部の後端部を連設する連設部とから構成され、平面視形状はコの字状である。また、キャリッジは、左右動可能に且つ連設部の後縁部を中心にアーム部が上下動可能に設けられている。
【００１１】
なお、図２中、４ａ、４ｂは加工室４の側壁、４ｃ、４ｃは側壁４ａ、４ｂに形成された円弧状のスリットである。そして、この側壁４ａ、４ｂの外側にキャリッジの一対のアーム部が配設されている。このようなアーム部を有するキャリッジには周知の構成を採用できるので、その詳細な説明及び図示は省略する。
【００１２】
また、レンズ研削加工装置２は、その駆動系の制御操作やデータ設定操作を行う際に用いる第１及び第２の操作パネル６、７と、操作パネル６、７による操作状態等その他を表示する表示装置（表示手段）としての液晶表示器８とを備えている。
【００１３】
（加工用主要部品）
上述の加工室４内に配置された加工用主要部品としては、図２に示すように、装置本体３の左右に延びると共にスリット４ｃ、４ｃを貫通する左右一対のレンズ回転軸９、１０がある。尚、スリット４ｃ、４ｃはレンズ回転軸９、１０と一体に移動する図示しないカバーで閉成されている。
【００１４】
このレンズ回転軸９、１０は、互いに直列に配置されて同一軸線を有すると共に、上述した一対のキャリッジのアーム部にそれぞれ回転可能に保持されている。このレンズ回転軸１０は、レンズ回転軸９に対して進退調整可能に設けられている。そして、レンズ回転軸９、１０間に眼鏡レンズＭＬを配設してレンズ回転軸１０をレンズ回転軸９側に進出させることにより、眼鏡レンズＭＬをレンズ回転軸９、１０間で保持（挟持）できる。また、これとは逆に操作することで、レンズ回転軸９、１０間から眼鏡レンズＭＬを取り外すことができる。
【００１５】
また、加工主要部品としては、眼鏡レンズＭＬを研削加工するための研削砥石１１と、研削砥石１１を回転させる砥石軸１２と、眼鏡レンズＭＬの周縁部に面取り加工を施す面取り砥石１３、１４と、眼鏡レンズＭＬのコバ面に溝加工を施す溝掘カッター（溝掘砥石）１７がある。
【００１６】
更に、加工主要部品としては、面取り砥石１３、１４、溝掘カッター（溝掘砥石）１７を回転させる面取り軸（溝掘軸）１５と、面取り軸１５を駆動させると共に旋回させる旋回アーム１６と、面取り砥石１４に隣接して面取り軸１５に設けられた溝掘カッター１７と、面取り砥石１３、１４及び溝掘カッター１７の下方を覆う円弧状カバー１８がある。
【００１７】
また、レンズ回転軸９、１０としては、円弧状カバー１８の内側に設けられて研削砥石１２や面取り砥石１３、１４あるいは溝掘カッター１７の砥石面に研削水を掛けるためのホース（図示せず）と、眼鏡レンズＭＬのコバ厚Ｗｉを測定するコバ厚測定部材１９がある。
【００１８】
カバー５は、無色透明又は有色透明（例えば、紺等の半透明）の一枚のガラス製若しくは樹脂製のパネルから構成され、装置本体３の前後にスライドする。
【００１９】
尚、加工室４には、眼鏡レンズＭＬの後方に位置すると共に丸みを帯びた傾斜面４ｄが形成されており、研削屑を流し易い構造になっている。
【００２０】
（加工用主要部品の駆動系）
加工用主要部品の駆動系としては、上述のキャリッジ（図示せず）と、このキャリッジをパルスモータ等の駆動モータを用いて上下回転させる上下動手段（図示せず）と、キャリッジを左右動させるパルスモータ等の駆動モータ（図示せず）と、レンズ回転軸９、１０を回転駆動させるパルスモータ等の駆動モータ（図示せず）と、キャリッジの上下回動に伴いレンズ回転軸９、１０間に保持された眼鏡レンズＭＬを研削加工する際に研削砥石１１を回転させる駆動モータ（図示せず）等を有する。
【００２１】
このような駆動系のキャリッジを駆動させるための駆動モータや構造には周知の構成が採用できるので、その詳細な説明は省略する。また、研削砥石１１は、粗研削砥石、ヤゲン砥石、仕上砥石等を有する。
【００２２】
そして、上述した駆動系は、レンズ形状情報（θｉ，ρｉ）に基づいて、レンズ回転軸９、１０を角度θｉ（ｉ＝０，１，２，３，…，ｎ）毎に図示しない駆動モータで回動させると共に、キャリッジ（図示しない）を図示しない駆動モータで上下回動させることにより、眼鏡レンズＭＬの周縁を回転する研削砥石１１の粗研削砥石１１ａで研削加工するようになっている。この際、駆動系は、レンズ回転軸９、１０と砥石回転軸１２との軸間距離が角度θｉ毎に砥石半径＋動径ρｉとなるように、キャリッジの前端部を角度θｉ毎に上下回動させてレンズ回転軸９、１０及び眼鏡レンズＭＬを上下動させるようになっている。これにより、眼鏡レンズＭＬが研削砥石１１でレンズ形状情報（θｉ，ρｉ）に粗研削加工されるようになっている。
【００２３】
また、駆動系は、上述と同様に各駆動モータをレンズ形状情報（θｉ，ρｉ）に基づいて作動制御して、レンズ形状（玉型形状）ＬＬ、ＬＲに粗研削された眼鏡レンズＭＬの周縁のコバ端部に研削砥石１１のヤゲン砥石１１ｂによりヤゲン加工できるようになっている。この際、駆動系は、予め設定されたヤゲン位置データに基づいてキャリッジを左右に駆動する駆動モータを制御することにより、玉型形状に粗加工された眼鏡レンズＭＬのコバ端にヤゲン加工を施すようになっている。尚、このような眼鏡レンズＭＬの研削加工は周知の構造を採用できるので、詳細な説明は省略する。
【００２４】
（コバ厚測定部材１９）
コバ厚測定部材１９は、互いに離間状態で対向する一対のフィーラ１９ａ、１９ｂを備える。このフィーラ１９ａ、１９ｂは作用右方向に延びる測定軸１９ｃに一体に設けられている。この測定軸１９ｃは、加工室４の側壁４ｂを左右に貫通していると共に、左右に移動可能となっている。また、測定軸１９ｃは、フィーラ１９ａ、１９ｂが加工室４の後縁部の略中央に位置するように、図示しないスプリングで保持されている。従って、フィーラ１９ａ、１９ｂ及び測定軸１９ｃは、左右方向への移動力を解除すると、加工室４の後縁部の略中央に戻されるようになっている。
【００２５】
しかも、測定室４の外側には、測定軸１９ｃに連動してフィーラ１９ａ、１９ｂの左右方向への移動位置（又は移動量）を検出して測定する測定部（図示せず）が設けられている。より具体的には、フィーラ１９ａ、１９ｂ及び測定軸１９ｃの左右方向への移動位置又は移動量は測定部（図示せず）に内蔵された図示しない読取センサ（位置検出手段又は移動量検出手段）により読取られるようになっている。
【００２６】
また、測定軸１９ｃは図示しないパルスモータ等の駆動手段で軸線回りに回動可能に設けられている。この駆動手段は、測定軸１９ｃを回動させてフィーラ１９ａ、１９ｂを約９０度跳ね上げた位置（待機状態）と前側に水平に倒れた使用位置（使用状態）との間で回動するようになっている。この回動は、後述する制御回路により行われる。
【００２７】
尚、レンズ形状情報（θｉ，ρｉ）に基づく眼鏡レンズＭＬのコバ厚Ｗｉの測定時には、レンズ回転軸９、１０に眼鏡レンズＭＬを保持させると共に、フィーラ１９ａ、１９ｂを前側に水平に倒した状態にする。
【００２８】
この状態で、レンズ回転軸９、１０を駆動モータによりキャリッジと一体に上下動及び左右動させることにより、フィーラ１９ａの先端を眼鏡レンズＭＬの前側屈折面に当接させ、又はフィーラ１９ｂの先端を後側屈折面に当接させることができるようになっている。
【００２９】
更に、フィーラ１９ａの先端を眼鏡レンズＭＬの前側屈折面に当接させた状態で、レンズ回転軸９、１０をレンズ形状情報（θｉ，ρｉ）に基づいて角度θｉ毎に回動させると共に、レンズ回転軸９、１０と研削砥石１１（又は砥石回転軸１２）との軸間距離が角度θｉ毎にＸｉ（研削砥石１１の半径＋動径ρｉ）となるように、キャリッジを上下動させることにより、フィーラ１９ａの先端を眼鏡レンズＭＬの前側屈折面の動径ρｉの位置に接触移動させることができるようになっている。同様に、フィーラ１９ｂの先端を眼鏡レンズＭＬの後側屈折面に当接させた状態で、レンズ回転軸９、１０をレンズ形状情報（θｉ，ρｉ）に基づいて角度θｉ毎に回動させると共に、レンズ回転軸９、１０と研削砥石１１（又は砥石回転軸１２）との軸間距離が角度θｉ毎にＸｉ（研削砥石１１の半径＋動径ρｉ）となるように、キャリッジを上下動させることにより、フィーラ１９ｂの先端を眼鏡レンズＭＬの前側屈折面の動径ρｉの位置に接触移動させることができるようになっている。このようにフィーラ１９ａ、１９ｂが眼鏡レンズＭＬに接触した状態でレンズ回転軸９、１０をレンズ形状情報（θｉ，ρｉ）に基づいて回動させると、フィーラ１９ａ、１９ｂが眼鏡レンズＭＬの屈折面の湾曲に従って左右方向に移動させられる。
【００３０】
従って、眼鏡レンズＭＬのコバ厚Ｗｉを求めるには、フィーラ１９ａを用いてレンズ形状情報（θｉ，ρｉ）における眼鏡レンズＭＬの前側屈折面の左右方向（光軸方向＝レンズ回転軸９、１０の軸線の延びる方向）の移動量（フィーラ１９ａの左右方向への移動量）を測定部の読取センサ（図示せず）で求める。次に、フィーラ１９ｂを用いてレンズ形状情報（θｉ，ρｉ）における眼鏡レンズＭＬの前側屈折面の左右方向（光軸方向＝レンズ回転軸９、１０の軸線の延びる方向）の移動量（フィーラ１９ｂの左右方向への移動量）を測定部の読取センサ（図示せず）で求める。
【００３１】
ここで、フィーラ１９ａ、１９ｂが初期位置にある場合の、フィーラ１９ａ、１９ｂ間の中央位置からフィーラ１９ａの先端までの距離をｘａとし、フィーラ１９ａ、１９ｂ間の中央位置からフィーラ１９ｂの先端までの距離を−ｘａとし、フィーラ１９ａの初期位置からの左方向及び右方向への移動量をそれぞれｆａ及び−ｆａとし、フィーラ１９ｂの初期位置からの左方向及び右方向への移動量をｆｂ及び−ｆｂとする。この条件において、フィーラ１９ａ、１９ｂ間の中央位置からフィーラ１９ａの先端の左右方向への移動位置Ｆａはｘａ＋ｆａ又はｘａ−ｆａとなり、フィーラ１９ａ、１９ｂ間の中央位置からフィーラ１９ｂの先端の左右方向への移動位置Ｆｂは−ｘａ＋ｆｂ又は−ｘａ−ｆｂとなる。
【００３２】
従って、このような移動位置Ｆａからｘａを差し引くことによりフィーラ１９ａの移動量ｆａがフィーラ１９ａ、１９ｂ間の中央位置からの左右方向への移動位置Ｆａ’として求められ、移動位置Ｆｂからｘａを差し引くことによりフィーラ１９ｂの移動量ｆｂがフィーラ１９ａ、１９ｂ間の中央位置からの左右方向への移動位置Ｆｂ’として求められる。そして、この求めた移動位置Ｆａ’、Ｆｂ’の差を求めることにより、眼鏡レンズＭＬのレンズ形状情報（θｉ，ρｉ）にコバ厚Ｗｉを求めることができる。
【００３３】
（操作パネル６）
操作パネル６は、図３（Ａ）に示すように、眼鏡レンズをレンズ回転軸９、１０によりクランプするための『クランプ』スイッチ６ａと、眼鏡レンズの右眼用・左眼用の加工の指定や表示の切換え等を行う『左』スイッチ６ｂ、『右』スイッチ６ｃと、砥石を左右方向に移動させる『砥石移動』スイッチ６ｄ、６ｅと、眼鏡レンズの仕上加工が不十分である場合や試し摺りする場合の再仕上又は試し摺り加工するための『再仕上／試』スイッチ６ｆと、レンズ回転モード用の『レンズ回転』スイッチ６ｇと、ストップモード用の『ストップ』スイッチ６ｈとを備えている。
【００３４】
（操作パネル７）
操作パネル７は、図３（Ｂ）に示すように、液晶表示器８の表示状態を切り換える『画面』スイッチ７ａと、液晶表示器８に表示された加工に関する設定等を記憶する『メモリー』スイッチ７ｂと、レンズ形状情報（θｉ，ρｉ）を取り込むための『データ要求』スイッチ７ｃと、数値補正等に使用されるシーソー式の『−＋』スイッチ７ｄ（『−』スイッチと『＋』スイッチとを別々に設けても良い）と、カーソル式ポインタ移動用の『▽』スイッチ７ｅとを液晶表示器８の側方似は配置している。また、ファンクションキーＦ１〜Ｆ６が液晶表示器８の下方に配列されている。
【００３５】
このファンクションキーＦ１〜Ｆ６は、眼鏡レンズの加工に関する設定時に使用されるほか、加工工程で液晶表示器８に表示されたメッセージに対する応答・選択用として用いられる。
【００３６】
（液晶表示器８）
液晶表示器８の上部には、『レイアウト』タブＴＢ１、『加工中』タブＴＢ２、『加工済』タブＴＢ３、『メニュー』タブＴＢ４が表示されている。そして、この『レイアウト』タブＴＢ１、『加工中』タブＴＢ２、『加工済』タブＴＢ３、『メニュー』タブＴＢ４を選択することにより、液晶表示器８の表示が切り替えられるようになっている。
【００３７】
また、液晶表示器８の下縁部には、ファンクションキーＦ１〜Ｆ６に対応したファンクション表示器Ｈ１〜Ｈ６が設けられている。このファンクション表示部Ｈ１〜Ｈ６は、必要に応じたものが適宜表示される。更に、ファンクション表示部Ｈ１〜Ｈ６が非表示状態の時には、ファンクションキーＦ１〜Ｆ６の機能に対応したものとは異なった図柄や数値、或いは、状態等を液晶表示器８の下縁部に表示することができる。
【００３８】
『レイアウト』タブＴＢ１、『加工中』タブＴＢ２、『加工済』タブＴＢ３を選択した状態の時には、アイコン表示エリアＥ１、メッセージ表示エリアＥ２、数値表示エリアＥ３、状態表示エリアＥ４に区画した状態で表示される。また、『メニュー』タブＴＢ４を選択した状態の時には、全体的に一つのメニュー表示エリアとして表示しても良いし、独自の区画表示エリアとしても良い。
【００３９】
アイコン表示エリアＥ１に表示されるアイコンは、玉型形状データであるレンズ形状情報（θｉ，ρｉ）に基づいて眼鏡レンズのコバ厚形状を測定している状態、眼鏡レンズのコバ端面に形成されるヤゲン形状をシミュレーションしている状態、コバ端面を粗加工する状態、コバ端面を仕上加工する状態、コバ端面を鏡面加工する状態、コバ端面を溝掘り加工する状態、コバ端面を溝掘り・面取り加工する状態、コバ端面を溝掘り・面取り・鏡面加工する状態、コバ端面をヤゲン加工する状態、コバ端面をヤゲン・面取り加工する状態、コバ端面をヤゲン・面取り・鏡面加工する状態、眼鏡レンズの研削加工の終了、といったように各作業に対応して並設されている。
【００４０】
また、各アイコンの上方には、その一連の作業の進行状況をオペレータが識別できるように、１対１で対応すると共に一連の作業の進行状況に応じて点灯表示していく複数カーソルインジケータが、右眼レンズ進行状況表示用と左眼レンズ進行状況表示用とで上下２段にして『加工中』タブＴＢ２に設けられている。
【００４１】
メッセージ表示エリアＥ２には、各種エラーメッセージや警告メッセージなどが状態に応じて表示される。尚、装置内部品等の破損や被加工レンズの破損等の虞がある場合の警告メッセージなどの場合には、オペレータが認識し易いようにメッセージ表示エリアＥ２以外のエリアにはみ出して表示上で重畳させることも可能である。
【００４２】
数値表示エリアＥ３には、レイアウトデータの入力時に、眼鏡フレームの左右レンズ枠の幾何学中心間距離（ＦＰＤ値）、眼鏡装用者眼の瞳孔間距離（ＰＤ値）、ＦＰＤ値とＰＤ値との差である寄せ量の鉛直方向成分ＵＰ値（又はＨｌｐ値）、加工サイズ調整の各項目等が表示される。また、初期設定時には、上述したＦＰＤ、ＰＤ、ＵＰ、サイズの他に加工レンズの吸着中心が表示される。さらに、モニターデータ入力時には、眼鏡レンズの二次加工的な面取り加工に関わる寸法関係の数値が表示される。
【００４３】
状態表示エリアＥ４には、右眼用及び左眼用の眼鏡レンズのレイアウト画像や眼鏡レンズの最大、最小、最大及び最小以外の中間（任意）コバ周縁に形成されるヤゲン形状、コバ周縁を側面から見たレンズ側面形状等や、現実の加工状態に即した模式図等が表示される。
【００４４】
（ファンクションキー）
このファンクションキーＦ１〜Ｆ６は、眼鏡レンズの加工に関する設定時に使用されるのか、加工工程で液晶表示器８に表示されたメッセージに対する応答・選択用として用いられる。
【００４５】
各ファンクションキーＦ１〜Ｆ６は、加工に関する設定時（レイアウト画面）においては次の様に用いられる。即ち、ファンクションキーＦ１はレンズタイプ入力用、ファンクションキーＦ２はレンズ素材入力用、ファンクションキーＦ３はフレーム種類入力用、ファンクションキーＦ４は面取り加工種類入力用、ファンクションキーＦ５は鏡面加工入力用、ファンクションキーＦ６は加工コース入力用として用いられる。
【００４６】
ファンクションキーＦ１で入力されるレンズタイプとしては、『単焦点』、『眼科処方』、『累進』、『バイフォーカル』、『キャタラクト』、『ツボクリ』、『８カーブ』等がある。尚、『キャタラクト』とは、眼鏡業界では一般にプラスレンズで屈折度数が大きいものをいい、『ツボクリ』とは、マイナスレンズで屈折度数が大きいものをいい、『８カーブ』とは、レンズ屈折面カーブが８カーブで出来ているものをいう。
【００４７】
ファンクションキーＦ２で入力される被加工レンズの素材としては、プラスチック（以下、『プラ』と略する。）、『ハイインデックス』、『ガラス』、ポリカーボネイト（以下、『ポリカ』と略する。）、『アクリル』等がある。
【００４８】
ファンクションキーＦ３で入力される眼鏡フレームＦの種類としては、『メタル』、『セル』、『オプチル』、『平』、『溝掘り（細）』、『溝掘り（中）』、『溝掘り（太）』等がある。
【００４９】
ファンクションキーＦ４で入力される面取り加工種類としては、図９に示した『無し』、『小（前後）』、『中（前後）』、『大（前後）』、『特殊（前後）』、『小（後）』、『中（後）』、『大（後）』、『特殊（後）』等がある。
【００５０】
なお、この面取り位置を示すポップアップは、『無し』、『小（前後）』、『特殊耳（前後）』、『特殊鼻（前後）』、『特殊（前後）』、『小（前後）』、『特殊耳（前後）』、『特殊鼻（前後）』、『特殊（後）』等でもよい。
【００５１】
ファンクションキーＦ５で入力される鏡面加工としては、『なし』、『あり』、『面取り部鏡面』等がある。
【００５２】
ファンクションキーＦ６で入力される加工コースとしては、『オート』、『試し』、『モニター』、『枠替え』或いは『内トレース』等がある。
【００５３】
尚、上述したファンクションキーＦ１〜Ｆ６のモードや種別或いは順序は特に限定されるものではない。また、後述する各タブＴＢ１〜ＴＢ４の選択として、『レイアウト』、『加工中』、『加工済』、『メニュー』等を選択するためのファンクションキーを設けるなど、キー数に限定されるものではない。
【００５４】
そして、このようなファンクションキーＦ１ないしＦ６に対応するファンクション表示部Ｈ１〜Ｈ６の上には、レンズタイプ、レンズ、フレーム、面取り、鏡面及びコース等がそれぞれ表示される。しかもファンクション表示部Ｈ１〜Ｈ６には、レンズタイプ、レンズ、フレーム、面取り、鏡面及びコース等に対応する内容、即ちファンクションキーＦ１〜Ｆ６により選択するための上述した種類や加工内容等が表示される。
【００５５】
尚、以下、レイアウト時の液晶表示器８の表示状態としての、システム起動直後・データ要求直後・レイアウト設定終了・各コース選択等、或いは、加工時の液晶表示器８の表示状態としての、コバ厚確認・右眼レンズ加工中及び終了・左眼レンズ加工中等、更に、加工済み後の液晶表示器８の表示状態としての確認・データ保存、研削加工中におけるエラー・アイコンとカーソル・溝掘り加工及び面取り加工・試し摺り・加工追加再仕上げ等の表示や操作等は、特願２０００−２８７０４０号又は特願２０００−２９０８６４号と同様のものとすることができる。
［制御回路］
レンズ研削加工装置２は、図４に示すように、演算制御回路４０を有する。ＣＰＵを有する演算制御回路４０には、操作パネル６、記憶手段としてのＲＯＭ４１、記憶手段としてのデータメモリ４２、ＲＡＭ４３が接続されていると共に、補正値メモリ４４が接続されている。また、演算制御回路４０には、表示用ドライバ４５を介して液晶表示器８が接続され、パルスモータドライバ４６を介して駆動系の各種駆動モータ（パルスモータ）４７ａ…４７ｎが接続されていると共に、通信ポート４８を介して図１のフレーム形状測定装置１が接続されている。
【００５６】
尚、例えば、上述したキャリッジを上下動させるパルスモータ等の駆動モータ４７ａ、キャリッジを左右動させるパルスモータ等の駆動モータを４７ｂ、レンズ回転軸９、１０を回転駆動させるパルスモータ等の駆動モータを４７ｃ、研削砥石１１を回転させる駆動モータを４７ｄとし、旋回アーム１６を上下回動させるパルスモータ等の駆動モータを４７ｅ、研削砥石１１を回転させる駆動モータを４７ｆとする。
【００５７】
この場合、駆動モータ４７ａを正転又は逆転させることにより図示しないキャリッジを上下動させることができ、駆動モータ４７ｂを正転又は逆転させることにより、キャリッジを左右動させることができる。また、駆動モータ４７ｃを正転又は逆転させることにより、レンズ回転軸９、１０を正転又は逆転させることができる。更に、駆動モータ４７ｄを作動制御することにより研削砥石１１を回転駆動できる。また、駆動モータ４７ｅを正転又は逆転させることにより、旋回アーム１６を上方又は下方に旋回駆動させることができる。更に、駆動モータ４７ｆを作動制御することにより、面取り軸（回転軸）１５を回転駆動させることができる。このような駆動系の各駆動モータ４７ａ〜４７ｆの駆動は演算制御回路４０により行われる。
【００５８】
演算制御回路４０は、加工制御開始後に、フレーム形状測定装置１からのデータ読み込みや、データメモリ４２の記憶領域ｍ１〜ｍ８に記憶されたデータの読み込みがある場合には、図５に示すように、時分割による加工制御とデータの読み込みやレイアウト設定の制御を行う。
【００５９】
即ち、時間ｔ１，ｔ２間の期間をＴ１、時間ｔ２，ｔ３間の期間をＴ２、時間ｔ３，ｔ４間の期間をＴ３、・・・、時間ｔｎ−１，ｔｎ間の期間をＴｎ−１とすると、期間Ｔ１，Ｔ３・・・Ｔｎ−１の間で加工制御が行われ、データの読み込みやレイアウト設定の制御を期間Ｔ２，Ｔ４・・・Ｔｎの間に行う。従って、被加工レンズの研削加工中に、次の複数の玉型形状データの読み込み記憶や、データの読み出しとレイアウト設定（調整）等を行うことができ、データ処理の作業効率を格段に向上させることができる。
【００６０】
ＲＯＭ４１にはレンズ研削加工装置２の動作制御のための種々のプログラム等が記憶されている。データメモリ４２には複数のデータ記憶領域が設けられている。
【００６１】
ＲＡＭ４３は、加工中のデータを記憶する加工データ記憶領域４３ａ、新たなデータを記憶する新データ記憶領域４３ｂ、フレームデータや加工済みデータ等を記憶するデータ記憶領域４３ｃが設けられている。
【００６２】
尚、データメモリ４２には、読み書き可能なＦＥＥＰＲＯＭ（フラッシュＥＥＲＯＭ）を用いることもできるし、メインの電源がオフされても内容が消えないようにしたバックアップ電源使用のＲＡＭを用いることもできる。
［作用］
次に、この様な構成の演算制御回路４０を有するレンズ研削加工装置の作用を説明する。
【００６３】
スタート待機状態からメイン電源がオンされると、演算制御回路４０はフレーム形状測定装置１からのデータ読み込みがあるか否かを判断する。
【００６４】
即ち、演算制御回路４０は、操作パネル６の『データ要求』スイッチ７ｃが押されたか否かが判断される。そして、『データ要求』スイッチ７ｃが押されてデータ要求があれば、フレーム形状測定装置１からのレンズ形状情報（θｉ，ρｉ）のデータをＲＡＭ４３のデータ読み込み領域４３ｂに読み込む。この読み込まれたデータは、データメモリ４２の記憶領域ｍ１〜ｍ８のいずれかに記憶（記録）されるようにしてもよい。
【００６５】
このレンズ形状情報（θｉ，ρｉ）のデータが読み込まれると、演算制御回路４０は図８に示したレイアウト設定の為の表示内容を液晶表示器８に表示させる。
【００６６】
以下に、通常の面取り加工におけるレイアウト設定、面取り加工シミュレーション、面取り加工の実行の各作業工程を説明する。
（１）液晶表示器８のレイアウト表示
レイアウト設定時には、図６に示したような通常の面取り加工の内容が液晶表示器８に演算制御回路４０により表示される。即ち、液晶表示器８の表示エリアＥ２には、「レンズ：プラ」、「コース：オート」が表示されると共に、ヤゲン及び面取り加工のための表示２０がされる。また、表示エリアＥ３には、フレーム幾何学中心間距離ＦＰＤ、眼鏡装用者の瞳孔間距離ＰＤ、寄せ量ＵＰ、サイズ「ＳＩＺＥ」及びその数値が表示される。図６では、規定値（標準値）としてＦＰＤが７２．５、ＰＤが６４．０、ＵＰが＋２．０、ＳＩＺＥが＋０．００となっている。また、表示エリアＥ３には、「ＳＩＺＥ」の下方に位置させて「吸着位置：光学中心」の表示がされている。
【００６７】
更に、表示エリアＥ４の左側には右のレンズ形状ＬＲ及びレンズ吸着盤Ｒｓが重ねて表示され、表示エリアＥ４の右側には左のレンズ形状ＬＬ及びレンズ吸着盤Ｌｓが重ねて表示される。この際、レンズ形状ＬＲの光学中心ＯＲとレンズ吸着盤Ｒｓの中心が一致させられ、レンズ形状ＬＬの光学中心ＯＬとレンズ吸着盤Ｌｓの中心が一致させられる。
【００６８】
また、ファンクション表示部Ｈ１〜Ｈ６の上には、レンズタイプ、レンズ、フレーム、面取り、鏡面及びコース等がそれぞれ表示される。更に、ファンクション表示部Ｈ１には例えば「単焦点」が表示され、ファンクション表示部Ｈ２には例えば「プラ」が表示され、ファンクション表示部Ｈ３には例えば「メタル」が表示され、ファンクション表示部Ｈ４には例えば「小（前後）」が表示され、ファンクション表示部Ｈ５には例えば「あり」が表示され、ファンクション表示部Ｈ６には例えば「オート」が表示される。
【００６９】
そして、ファンクション表示部Ｈ４に対応するファンクションキーＦ４を押すと、図７に示したようなポップアップメニュー２１が表示される。このポップアップメニュー２１には、「無し、小（前後）、中（前後）、大（前後）、特殊（前後）、小（後）、中（後）、大（後）、特殊（前後）」等の面取り位置の選択内容が表示される。この表示状態では、「無し、小（前後）、中（前後）、大（前後）、特殊（前後）、小（後）、中（後）、大（後）、特殊（後）」等の面取り位置のいずれかの色が反転表示されている。この反転表示された内容が面取り位置であり、ファンクション表示部Ｈ４に表示される。図７では、「小（前後）」が面取り位置として表示されている。
【００７０】
この面取り位置のための反転表示は、ファンクションキーＦ４を押す毎に「無し」、「小（前後）」、「中（前後）」、「大（前後）」、「特殊（前後）」、「小（後）」、「中（後）」、「大（後）」、「特殊（後）」等に対して順に実行される。
【００７１】
このファンクションキーＦ４で「特殊（前後）」を選択すると、図８に示すように、ファンクション表示部Ｈ４に「特殊（前後）」と反転表示され、特殊面取りのコースに移行する。なお、「特殊（後）」を選択した場合にも特殊面取りのコースに移行する。また、玉型形状ＬＲ、ＬＬに面取り加工後の面取り軌跡３１Ｒ、３１Ｌが表示される。この場合、眼鏡レンズのコバ端の耳側、鼻側の面取りは例えば、２．０ｍｍの面取り幅、８０％の面取り範囲等の標準値で面取り軌跡が表示される。
【００７２】
尚、「小（前後）」、「中（前後）」、「大（前後）」は、通常の面取り加工での面取り幅の大きさ（小、中、大）と、眼鏡レンズＭＬのコバ端の面取りする箇所（前側、後側）を意味する。「小（後）」、「中（後）」、「大（後）」も同様で、通常の面取り加工での面取り幅の大きさ（小、中、大）と、眼鏡レンズＭＬのコバ端の面取りする箇所（後側）を意味する。そして、「特殊（前後）」では、眼鏡レンズＭＬの前側及び後側屈折面のコバ端における面取り加工のうち、眼鏡フレームの耳掛け（テンプル）側に位置する眼鏡レンズ位置（以下、耳側と略記する。）あるいは鼻当て（パッド）側に位置する眼鏡レンズ位置（以下、鼻側と略記する。）における面取り加工を意味する。また、「特殊（後）」では、眼鏡レンズＭＬの前側屈折面のコバ端における面取りは無し、後側屈折面のコバ端における面取り加工のうち、耳側あるいは鼻側における面取り加工を意味する。
（２）シミュレーション画面での面取り操作
図９に示すように特殊面取りのための表示が実行された後、シミュレーション画面での左眼用の眼鏡レンズの面取り操作を行う場合には、ファンクションキーＦ６の操作で『オート』、『試し』、『モニター』、『枠替え』或いは『内トレース』等の中から『モニター』を選択し、次に『左』スイッチ６ｂを押して、加工をスタートさせる。ヤゲン加工の場合には、ヤゲン山部の裾部（あるいはヤゲン肩部）、溝掘加工の場合には玉型形状の周縁で未加工の眼鏡レンズのコバ厚形状（レンズ形状）を測定した後、図１１に示したようなシミュレーション画面を液晶表示器８に表示させる。
【００７３】
シミュレーション操作しない場合には『オート』を選択することで、（３）の面取り加工の動作に移行する。但し、加工中の表示は、シミュレーション画面となる。
【００７４】
この図１１では、液晶表示器８の表示エリアＥ２に左眼用の眼鏡レンズの「面幅」、「耳側幅」、「耳側範囲」、「鼻側幅」、「鼻側範囲」が表示される。そして、例えば「面幅」として０．３（ｍｍ）、「耳側幅」として２．０（ｍｍ）、「耳側範囲」として９０（％）、「鼻側幅」として１．０（ｍｍ）、「鼻側範囲」として９０（％）等が表示される。また、表示エリアＥ３（データ入力部）の下部には「フレームカーブ」及び「ヤゲンカーブ」が表示される。
【００７５】
更に、表示エリアＥ４の左側には、左眼マークＬ、左眼用のレンズ形状ＬＬ、レンズ形状ＬＬの光学中心ＯＬ、レンズ形状ＬＬの幾何学中心ＢＯ、上レンズ幅ＬＬｕ、下レンズ幅ＬＬｄ、右レンズ幅ＬＬｒ、左レンズ幅ＬＬｌ、任意の位置を示すマーク（視標）としても用いられる特殊面取り位置マークＳｔｃ、コバ厚及び面取り幅の最も薄い位置を示す面取り位置マークＳｆｃが表示される。
【００７６】
また、表示エリアＥ４の右側の上部には、レンズ形状ＬＬの面取り位置マークＳｆｃにおける断面形状３２が最初に表示されると共に、例えばヤゲン頂点「Ｔｏｐ：１．０［０．９］」及び「Ｅｄｇ：４０．［４．０］」が最初に表示される。これと同時に、表示エリアＥ４の右側の下部には、レンズ形状ＬＬの耳側水平方向での特殊面取り位置マークＳｔｃにおけるコバ断面形状３３が最初に表示されると共に、例えばヤゲン頂点「Ｔｏｐ：１．３［１．２］」及び「Ｅｄｇ：６．８［６．３］」及び「残り幅：２．２［２．３］」等が最初に表示される。
【００７７】
また、液晶表示器８の下縁部には、ファンクション表示部Ｈ１に対応して「位置」が表示され、ファンクション表示部Ｈ２に対応して「回転」が表示され、ファンクション表示部Ｈ４に対応して「面取り」が表示され、ファンクション表示部Ｈ５に対応して「鏡面」が表示され、ファンクション表示部Ｈ６に対応して「戻す」が表示される。尚、Ｙはレンズ形状ＬＬのヤゲン山を示す。
【００７８】
更に、レンズ形状ＬＬの光学中心ＯＬを中心として特殊面取り位置マークＳｔｃまで延びる指針３４がレンズ形状ＬＬに重ねて表示される。この指針３４及び特殊面取り位置マークＳｔｃは、ファンクションキーＦ２を押すと、ファンクション表示部Ｈ２に示した矢印３５のようにレンズ形状ＬＬ上を時計回り方向（「−」方向）に移動するようになっている。また、指針３４及び特殊面取り位置マークＳｔｃは、ファンクションキーＦ３を押すと、ファンクション表示部Ｈ３に示した矢印３６のようにレンズ形状ＬＬ上を反時計回り方向（「＋」方向）に移動するようになっている。そして、この指針３４及び特殊面取り位置マークＳｔｃの移動に伴い、移動位置における面取り部３７の状態が右側下部に表示される。
【００７９】
例えば、この移動で指針３４及び特殊面取り位置マークＳｔｃが面取り位置マークＳｔｆ側に移動すると破線で示したように面取り部３７の状態が変化する。
【００８０】
また、通常のシミュレーション画面では、表示エリアＥ３（データ入力部）の下部に「サイズ」が表示される。
【００８１】
面取り幅の設定値変更は、特殊面取り部分以外の面取り幅を変更するものとする。また、耳側の幅及び特殊面取りの範囲と鼻側の幅及び特殊面取りの範囲それぞれが設定できる。
【００８２】
すなわち、特面取り加工において、耳側の特殊面取りの初期設定値は、例えば、耳側の面取り幅は２．０ｍｍ、耳側の面取り範囲は９０％、鼻側の面取り幅は０．３ｍｍ、鼻側の面取り範囲は９０％、面幅は０．３ｍｍ、鼻側の特殊面取りの初期設定値は、例えば、耳側の面取り幅は０．３ｍｍ、耳側の面取り範囲は９０％、鼻側の面取り幅は１．０ｍｍ、鼻側の面取り範囲は９０％、面幅は０．３ｍｍ、特殊面取りの初期設定値は、例えば、耳側の面取り幅は２．０ｍｍ、耳側の面取り範囲は９０％、鼻側の面取り幅は１．０ｍｍ、鼻側の面取り範囲は９０％、面幅は０．３ｍｍである。また、耳側あるいは鼻側の面取り幅の変更できる範囲は例えば、０．１ｍｍ〜５．０ｍｍ、面取り範囲の変更できる範囲は例えば、１０％〜９０％である。面幅の変更できる範囲は例えば、０．１ｍｍ〜５．０ｍｍである。尚、ここで指定する範囲は例示であって、これに限定されるものではない。
【００８３】
ここで、面取りする範囲について補足する。
【００８４】
図１２に示すように、いま玉型形状Ｌに対して、略幾何学中心Ｏを中心として玉型形状Ｌの動径ρのうち、横方向の動径（極座標の基準）をＯＰ１、大きさをρbasisとするとき、最小動径を（ＯＰ３、大きさρmin1）と（ＯＰ４、大きさρmin2）の小さいほうを大きさρminで表現し、略幾何学中心Ｏを中心に大きさρminを半径とする円を描くこととする。ここで、面取りする範囲が９０％とは、横方向の動径（極座標の基準）において、（ρbasis−ρmin）の大きさＲ１Ｐ１を１００等分し、１０目盛めを通る略幾何学中心Ｏを中心とする同心円状の円弧を描き、この円弧が玉型形状の輪郭線と交わる交点Ｍ１、Ｍ２とするとき、交点Ｍ１、Ｍ２で区切られた玉型形状周縁部の範囲を示す。
【００８５】
このように、面取りする範囲を１０〜９０％と変化させると、液晶表示器８のプレビュー画面２４ｇの面取り見栄えも同時に変化するので、眼鏡装用者にプレビュー画面２４ｇを見せながら、面取り範囲や面取り幅を変えることができる。
【００８６】
最初の面取り線は、「サイズの初期値」で設定されている幅を元にして表示される。但し、レイアウト画面上で数値が変更されていれば、そこで入力された数値で面取り線が表示されレイアウト画面が変更される。眼鏡加工の作業者は視覚的に面取り加工シミュレーションを確認することができる。
【００８７】
また、コバ断面表示部の「コバ厚」値表示の下に、特殊面取り後の「コバ残り幅」を表示し、ユーザーが左右レンズの面取り後におけるコバ厚を、同じにしたい時に確認できるようにする。
【００８８】
また、片眼が「特殊」面取り加工を終了している時、反対眼の削る量は初期設定での面幅・範囲ではなく、削り幅（「コバ残り幅」）が同じ量になるように計算され、加工される。
【００８９】
更に、シミュレーション画面上で変更された、面幅、鼻側及び耳側の面幅・範囲等のデータは、反対眼加工時（右眼用の眼鏡レンズ（レンズ形状ＬＲ）の加工時）にも適用する。尚、シミュレーション画面中で、特殊面取りの設定／解除は可能とする。
（３）面取り加工
このようなシミュレーションにおいて面取り状態を確認し、この面取り状態で問題なければ、この状態で加工開始の『左』スイッチ６ｂを押すことにより、粗加工から順に加工がすすむ。粗加工後、（２）の面取り設定の条件で、面取り軌跡に沿ってレンズのコバ厚が測定される。
【００９０】
そして、特殊面取りが開始される。この際、演算制御回路４０は、駆動モータ４７ｆを作動制御して面取り砥石１３、１４と一体の面取り軸１５を回転駆動させる一方、（２）の特殊面取りの設定条件に基づいて駆動モータ４７ｅを作動制御して旋回アーム１６を上下に回動制御して、面取り砥石１３、１４により左眼用の眼鏡レンズに面取り加工を施す。
【００９１】
但し、ヤゲン或いはワイヤ溝に研削砥石が干渉してしまうような場合には、強制面取り・溝掘り加工動作を実行するメッセージが通常面取り加工と同様に表示し、画面上の面取り形状と変わることを通知させる。
【００９２】
以上説明したように、通常の面取り加工におけるレイアウト設定、シミュレーション、加工実行の作業工程を説明した。
【００９３】
しかしながら、特に、眼鏡加工作業者が従来手作業で行っていた技能的な面取り加工技術のノウハウを、初期設定を変更することにより実現し、微細に面取り加工を行いたいという要求が生じることもある。
【００９４】
このような場合に、通常の面取り加工における作業工程とは別に、特殊面取りの初期表示や初期設定を変更する必要がある。
（４）特殊面取りの「特殊」の初期表示及び設定
『メニュー』タブＴＢ４（あるいは『画面』スイッチ７ａ）を押すことで、図１３に示すように、「項目を選択してください。」のメッセージ２２’、及び、選択メニュー２２、２３が液晶表示器８に表示される。この際、選択メニュー２２には「設定１」、「設定２」、「調整」、「メンテナンス」等の設定項目が表示される。そして、「設定１」をＦ１で選択すると、選択メニュー２３には、「スイッチの初期表示」、「スイッチの順番変更」、「レイアウト初期値」、「表示画面」、「レイアウト入力の設定」、「サイズの初期値」、「特殊面取りの初期値」等の選択項目が表示される。
【００９５】
この選択メニュー２３から「特殊面取りの初期値」をＦ３で選択すると、図１４に示すように、「設定特殊面取りの初期値」、「項目を選択して下さい。」のメッセージ２４’、及び、選択メニュー２４が液晶表示器８に表示される。この際、選択メニュー２４には、「面取り幅（前面、他）」、「面取り幅（耳側）」、「面取り範囲（耳側）」、「面取り幅（鼻側）」、「面取り範囲（鼻側）」等の選択項目が表示される。例えば、選択メニュー２４で「面取り幅（前側、他）」を選択すると、図１６に示すように、「設定特殊面取りの初期値」、「項目を選択して、＋／−で数値を入力して下さい。」、「設定範囲は、０．１〜１．０ｍｍです。」のメッセージ２４ａ’、及び、選択メニュー２４ａ、２４ｂが液晶表示器８に表示される。この際、選択メニュー２４ａには、「面取り（前面）ｍｍ」、「面取り（他）ｍｍ」等の選択項目が表示される。また、選択メニュー２４ｂには、（ｍｍ）単位の設定範囲として「１．０」、「０．３」等の選択項目が表示される。なお、この設定範囲に限定されず、任意のｍｍ単位の大きさを設定範囲の項目として加えることができる。
【００９６】
また、例えば、図１４の特殊面取り初期値設定画面において、「面取り幅（耳側）」を選択すると、図１６に示すように、「設定特殊面取りの初期値」、「項目を選択して、＋／−で数値を入力して下さい。」、「設定範囲は、面取り幅（０．１〜５．０ｍｍ）・範囲（１０〜９０％）です。」のメッセージ２４ｃ’、及び、選択メニュー２４ｃ、２４ｄが液晶表示器８に表示される。この際、選択メニュー２４ｃには、「プラ」、「高プラ」、「ポリカ」、「アクリル」等の眼鏡レンズの材質を選ぶ選択項目が表示される。また、選択メニュー２４ｄには、（ｍｍ）単位の設定範囲として「２．０」、「２．０」、「２．０」、「２．０」等の選択項目が表示され、眼鏡レンズの耳側のコバ端の面取り幅を例えば２．０ｍｍと設定することができる。ここで、「プラ」とは、プラスチックレンズ、「高プラ」とは、高屈折のプラスチックレンズ、「ポリカ」とは、ポリカーボネイト、「アクリル」とは、アクリル樹脂を意味する。
【００９７】
また、例えば、図１４の特殊面取り初期値設定画面において、「面取り範囲（耳側）」を選択すると、図１７に示すように、「設定特殊面取りの初期値」、「項目を選択して、＋／−で数値を入力して下さい。」、「設定範囲は、面取り幅（０．１〜５．０ｍｍ）・範囲（１０〜９０％）です。」のメッセージ２４ｃ’、及び、選択メニュー２４ｅ、２４ｆおよび面取り加工後の左右両眼の眼鏡レンズを正面から見たように横に並べ装用した場合の面取り見栄え（特に耳側のコバ端の面取り）をチェックできるプレビュー画面２４ｇが液晶表示器８に表示される。この際、選択メニュー２４ｅには、「プラ」、「高プラ」、「ポリカ」、「アクリル」等の眼鏡レンズの材質を選ぶ選択項目が表示される。また、選択メニュー２４ｆには、眼鏡レンズの耳側のコバ端の面取りする範囲が（％）単位の設定範囲として「８０」、「８０」、「８０」、「８０」等の選択項目が表示される。
【００９８】
そして、ファンクションキーＦ５を押して「実行」を選択すると、上述した設定が終了して、図９に示したレイアウト設定の画面になる。
【００９９】
上述した特殊面取りの「特殊」の初期設定においては、『メニュー』タブＴＢ４（あるいは『画面』スイッチ７ａ）を押すことで設定することができたが、図１０に示すように、レイアウト画面において、ファンクション表示部Ｈ４に対応するファンクションキーＦ４を押し、図１０に示したようなポップアップメニュー２１’から選択することで、特殊面取りの設定を行うようにしてもよい。この場合、このポップアップメニュー２１’には、「無し、小（前後）、特殊耳（前後）、特殊鼻（前後）、特殊（前後）、小（後）、特殊耳（後）、特殊鼻（後）、特殊（後）」等の面取り位置の選択内容が表示される。この表示状態では、「無し、小（前後）、特殊耳（前後）、特殊鼻（前後）、特殊（前後）、小（後）、特殊耳（後）、特殊鼻（後）、特殊（後）」等の面取り位置のいずれかの色が反転表示されている。この反転表示された内容が面取り位置であり、ファンクション表示部Ｈ４に表示される。図１０では、「小（前後）」が面取り位置として表示されている。
【０１００】
上述したように、特殊面取りの「特殊」の初期設定の変更に伴い、面取り加工の通常の作業である、レイアウト設定→面取り加工シミュレーション→面取り加工の工程途中で設定値を変更する必要がなく、例えば鼻当て保持金具に眼鏡レンズのコバ面が当たったりすることもなく、また眼鏡装用者が気に入った面取り見栄えの面取り加工を実現することができる。そのうえさらに、眼鏡加工作業者が従来手作業で行っていた技能的な面取り加工技術のノウハウを実現することができ、眼鏡レンズの微細な面取り加工を行うことができる。
【０１０１】
以上説明したように、この発明は、研削加工後の眼鏡レンズが面取りされて眼鏡装用者にとってより掛けやすく、より窮屈でない（疲れない）ような眼鏡レンズの面取り設定を行うことができる。
【０１０２】
また、眼鏡加工作業者が従来手作業で行っていた技能的な面取り加工技術のノウハウを実現することができ、眼鏡レンズの微細な面取り加工を行うことができる。
【図面の簡単な説明】
【０１０３】
【図１】本発明の実施の形態に係るレイアウト表示装置を備えるレンズ研削加工装置とフレーム形状測定装置との関係を示す説明図である。
【図２】本発明の実施の形態に係るレンズ研削加工装置を示し、加工室内の加工主要部の斜視図である。
【図３】本発明の実施の形態に係るレンズ研削加工装置を示し、（Ａ）は第１の操作パネルの拡大説明図、（Ｂ）は液晶表示器の正面図である。
【図４】本発明の実施の形態に係るレンズ研削加工装置の制御回路の説明図である。
【図５】制御回路の制御を説明するためのタイムチャートである。
【図６】図３の液晶表示器の通常の面取り加工の表示例を示す説明図である。
【図７】図６の液晶表示器に表示されたポップアップメニューを示す説明図である。
【図８】図７に示すポップアップメニューにおいて「特殊（前後）」を選択した状態を示す図である。
【図９】画面上に特殊面取りのための表示の一例が示された状態を説明するための図である。
【図１０】図８に示すポップアップメニューの他の表示例を示す説明図である。
【図１１】シミュレーション画面が液晶表示器に表示された状態を示す説明図である。
【図１２】面取り範囲の一例を説明するための補足説明図である。
【図１３】項目選択画面が表示された状態を示す説明図である。
【図１４】選択メニュー画面において特殊面取りの初期値を選択したときに表示される画面を示す図である。
【図１５】図１４に示す画面で「面取り幅（前面、他）」を選択したときに表示される画面を示す図である。
【図１６】図１４に示す画面で「面取り幅（耳側）」を選択したときに表示される画面を示す図である。
【図１７】図１４に示す画面で「面取り範囲（耳側）」を選択したときに表示される画面を示す図である。
【符号の説明】
【０１０４】
Ｌ・・・玉型形状
Ｏ・・・幾何学中心
Ｍ１，Ｍ２・・・交点
【図１】
2008149457.tif 000003
【図２】
2008149457.tif 000004
【図３】
2008149457.tif 000005
【図４】
2008149457.tif 000006
【図５】
2008149457.tif 000007
【図６】
2008149457.tif 000008
【図７】
2008149457.tif 000009
【図８】
2008149457.tif 000010
【図９】
2008149457.tif 000011
【図１０】
2008149457.tif 000012
【図１１】
2008149457.tif 000013
【図１２】
2008149457.tif 000014
【図１３】
2008149457.tif 000015
【図１４】
2008149457.tif 000016
【図１５】
2008149457.tif 000017
【図１６】
2008149457.tif 000018
【図１７】
2008149457.tif 000019
【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
眼鏡レンズの面取り加工方法において、
前記眼鏡レンズの面取り範囲をｘ％として設定する際、前記眼鏡レンズの玉型形状の幾何学中心から横方向の動径の大きさをρbasisとし且つ前記玉型形状の幾何学中心から縦方向の最小動径の大きさをρminとすると共に、前記ρbasis−ρminを１００等分した値（ρbasis−ρmin／１００）を求め、ρmin+（ρbasis−ρmin／１００）×（１００−ｘ）の半径で前記幾何学中心を中心とする円弧を描いて、該円弧が前記玉型形状と交わる２つの交点を求めることにより、該２つの交点間を前記面取り範囲とすることを特徴とする眼鏡レンズの面取り加工方法。
【請求項２】
眼鏡レンズの面取り加工装置において、
前記眼鏡レンズの面取り範囲をｘ％として設定する際、前記眼鏡レンズの玉型形状の幾何学中心から横方向の動径の大きさをρbasisとし且つ前記玉型形状の幾何学中心から縦方向の最小動径の大きさをρminとすると共に、前記ρbasis−ρminを１００等分した値（ρbasis−ρmin／１００）を求め、ρmin+（ρbasis−ρmin／１００）×（１００−ｘ）の半径で前記幾何学中心を中心とする円弧を描いて、該円弧が前記玉型形状と交わる２つの交点を求めることにより、該２つの交点間を前記面取り範囲とすることを特徴とする眼鏡レンズの面取り加工装置。
【手続補正２】
【補正対象書類名】明細書
【補正対象項目名】０００７
【補正方法】変更
【補正の内容】
【０００７】
この目的を達成するため、請求項１の発明は、眼鏡レンズの面取り加工方法において、前記眼鏡レンズの面取り範囲をｘ％として設定する際、前記眼鏡レンズの玉型形状の幾何学中心から横方向の動径の大きさをρbasisとし且つ前記玉型形状の幾何学中心から縦方向の最小動径の大きさをρminとすると共に、前記ρbasis−ρminを１００等分した値（ρbasis−ρmin／１００）を求め、ρmin+（ρbasis−ρmin／１００）×（１００−ｘ）の半径で前記幾何学中心を中心とする円弧を描いて、該円弧が前記玉型形状と交わる２つの交点を求めることにより、該２つの交点間を前記面取り範囲とすることを特徴とする。
また、請求項２の発明は、眼鏡レンズの面取り加工装置において、前記眼鏡レンズの面取り範囲をｘ％として設定する際、前記眼鏡レンズの玉型形状の幾何学中心から横方向の動径の大きさをρbasisとし且つ前記玉型形状の幾何学中心から縦方向の最小動径の大きさをρminとすると共に、前記ρbasis−ρminを１００等分した値（ρbasis−ρmin／１００）を求め、ρmin+（ρbasis−ρmin／１００）×（１００−ｘ）の半径で前記幾何学中心を中心とする円弧を描いて、該円弧が前記玉型形状と交わる２つの交点を求めることにより、該２つの交点間を前記面取り範囲とすることを特徴とする。
【手続補正３】
【補正対象書類名】明細書
【補正対象項目名】００８４
【補正方法】変更
【補正の内容】
【００８４】
図１２に示すように、いま玉型形状Ｌに対して、略幾何学中心Ｏを中心として玉型形状Ｌの動径ρのうち、横方向の動径（極座標の基準）をＯＰ１、大きさをρbasisとするとき、（縦方向の動径ＯＰ３、大きさρmin1）と（縦方向の動径ＯＰ４、大きさρｍｉｎ２）の小さいほうを最小動径として大きさρminで表現し、略幾何学中心Ｏを中心に大きさρminを半径とする円（即ち、図１２から明らかなように半径がＯＲ１の円）を描くこととする。ここで、面取りする範囲が９０％とは、横方向の動径（極座標の基準）において、（ρbasis−ρmin）の大きさＲ１Ｐ１を１００等分し、１０目盛めを通る略幾何学中心Ｏを中心とする同心円状の円弧を描き、この円弧が玉型形状の輪郭線と交わる交点Ｍ１、Ｍ２とするとき、交点Ｍ１、Ｍ２で区切られた玉型形状周縁部の範囲を示す。
ここで、（ρbasis−ρmin）の大きさＲ１Ｐ１を１００等分する理由は、図１２から明らかな如く大きさＲ１Ｐ１を１００目盛とするためであることが容易に理解できる。故に、（ρbasis−ρmin）の大きさＲ１Ｐ１を１００等分したときの１目盛はＲ１Ｐ１／１００、即ち（ρbasis−ρmin／１００）であることが分かる。そして、１０目盛めを通る略幾何学中心Ｏを中心とする同心円状の円弧とは、略幾何学中心Ｏを中心とする円弧であって、且つＯＲ１＋（ρbasis−ρmin／１００）×１０[即ちρmin+（ρbasis−ρmin／１００）×１０]を半径とする円弧であることも図１２から容易に理解できる。
このように面取りする範囲が９０％のとき、幾何学中心Ｏを中心とする円弧が図１２から明らかなようにρmin+１０目盛めを通ることから、玉型形状Ｌの面取する範囲が１００％とは半径がＯＲ１の円の外側を面取りする範囲であることも容易に理解できる。
従って、眼鏡レンズの面取り範囲をｘ％として設定する際、眼鏡レンズの玉型形状Ｌの幾何学中心Ｏから横方向の動径の大きさをρbasisとし且つ玉型形状Ｌの幾何学中心Ｏから縦方向の動径の大きさをρminとすると共に、ρbasis−ρminを１００等分した値（ρbasis−ρmin／１００）を求め、ρmin+（ρbasis−ρmin／１００）×（１００−ｘ）の半径で前記幾何学中心を中心とする円弧を描いて、この円弧が玉型形状Ｌと交わる２つの交点Ｍ１，Ｍ２を求めることにより、この２つの交点Ｍ１，Ｍ２間が面取り範囲ｘ％となることも容易に理解できる。